(57)【特許請求の範囲】
【請求項１】
車載プレイヤ装置と共に用いられるコンテンツサーバ装置であって、
前記車載プレイヤ装置の固有情報を保持している固有情報保持手段と、
外部からコンテンツを取得するコンテンツ取得手段と、
前記コンテンツ取得手段が取得したコンテンツを、前記車載プレイヤ装置からの送信要求に先立って、前記固有情報保持手段が保持している固有情報を用いて暗号化する暗号化手段と、
前記暗号化手段が暗号化した暗号化コンテンツを蓄積する蓄積手段と、
前記蓄積手段に蓄積されている暗号化コンテンツのそれぞれに対応してメタデータを記憶するメタデータ記憶手段と、
前記メタデータ記憶手段が記憶しているメタデータに応じて定められる順序で、暗号化コンテンツを前記車載プレイヤ装置へ送信する送信手段とを備え、
前記車載プレイヤ装置によって識別された搭乗者を通知され、
前記メタデータは、個人を識別する情報を含み、
前記送信手段は、前記車載プレイヤ装置から通知された搭乗者を識別するメタデータに対応する暗号化コンテンツを、他の暗号化コンテンツよりも先に送信する
ことを特徴とするコンテンツサーバ装置。
【発明の詳細な説明】
【技術分野】
【０００１】
本発明は、コンテンツサーバ装置、車載プレイヤ装置、それらからなるシステムなどに関し、特に著作権の保護が必要なデジタルコンテンツを、コンテンツサーバ装置から車載プレイヤ装置へ迅速に転送する技術に関する。
【背景技術】
【０００２】
従来、例えばドライブや通勤の際に、お気に入りの音楽等をＣＤ（Compact Disk）やＭＤ（Mini Disk）等の記憶メディアに格納して車へ持ち込み、車の中で楽しむことが広く行われている。
【０００３】
このような車中での音楽等の視聴をより便利に支援する情報検索再生システムが、例えば、特許文献１に開示されている。この情報検索再生システムは、無線接続されるホームサーバと車載端末とから構成される。車載端末は、無線で、ホームサーバにある楽曲のリストを閲覧し、ホームサーバから所望の楽曲を取得して再生する。
【０００４】
この構成により、お気に入りの音楽等を車へ持ち込むための記憶メディアを廃止できるので、それらを車中で収納するためのスペースや運搬の手間が省かれ、ユーザの利便性が大きく向上する。
【特許文献１】特開２００４−３７９８１号公報
【発明の開示】
【発明が解決しようとする課題】
【０００５】
しかしながら、従来の情報検索再生システムでは、音楽等（より広くは、デジタルコンテンツ）の転送の際に、著作権の保護が考慮されないという問題がある。この問題は、デジタルコンテンツの著作権の保護に関する要請が急速に高まりつつある現状にあっては、極めて重大である。
【０００６】
本発明は、上記の問題に鑑みてなされたものであり、デジタルコンテンツを、著作権の保護を図りつつ、かつ迅速にコンテンツサーバ装置から車載プレイヤ装置へ転送するコンテンツサーバ装置、車載プレイヤ装置、及びそれらからなるシステムを提供することを目的とする。
【課題を解決するための手段】
【０００７】
上記課題を解決するため、本発明のコンテンツサーバ装置は、車載プレイヤ装置と共に用いられるコンテンツサーバ装置であって、前記車載プレイヤ装置の固有情報を保持している固有情報保持手段と、外部からコンテンツを取得するコンテンツ取得手段と、前記取得されたコンテンツを、前記車載プレイヤ装置からの送信要求に先立って、前記固有情報を用いて暗号化コンテンツに暗号化する暗号化手段と、前記暗号化コンテンツを蓄積する蓄積手段と、前記蓄積された暗号化コンテンツを、前記車載プレイヤ装置からの送信要求に応じて、前記車載プレイヤ装置へ送信する送信手段とを備える。
【０００８】
また、前記固有情報保持手段は、前記車載プレイヤにおいて前記暗号化コンテンツを蓄積する記憶メディアに固有の識別情報を、前記固有情報として秘匿保持しているとしてもよい。
【０００９】
また、前記コンテンツサーバ装置は、さらに、ＬＡＮ、インターネット、及び携帯電話回線の少なくとも一つに接続する通信手段を備え、前記送信手段は、前記通信手段を用いて、前記ＬＡＮ、インターネット、及び前記携帯電話回線を経由して、前記暗号化コンテンツを前記車載プレイヤ装置へ送信してもよい。
【００１０】
この構成によれば、前記コンテンツサーバ装置は、取得されたコンテンツを前記車載プレイヤ装置の固有情報を用いて、他のプレイヤ装置では再生できない暗号化コンテンツに暗号化して蓄積し、蓄積された暗号化コンテンツを前記車載プレイヤ装置へ送信する。これによって、前記暗号化コンテンツを他のプレイヤ装置に複製する行為が無意味となり、著作権の保護に一定の効果が発揮される。
【００１１】
また、前記コンテンツサーバ装置は、前記車載プレイヤ装置からの送信要求に先立って、事前にコンテンツを暗号化して蓄積するので、前記車載プレイヤ装置からの送信要求に応じて即座に暗号化コンテンツを送信できる。コンテンツが事前に暗号化されているので、暗号化のオーバヘッドが省かれ、転送処理のターンアラウンド時間が短縮される。これにより、例えば出かける前といった短時間のうちに、前記コンテンツサーバ装置から前記車載プレイヤ装置へ大量のコンテンツを転送できるという際立った効果が得られる。
【００１２】
特に前記車載プレイヤにおいて前記暗号化コンテンツを蓄積する記憶メディアがＣＰＲＭ（Content Protection for Recordable Media）規格に対応している場合には、記憶メディアに固有の識別情報の一例として、暗号キーとして実際に用いられるメディア鍵を秘匿保持することによって、実装を簡便にする効果が得られる。
【００１３】
また、前記コンテンツ取得手段は、前記コンテンツを、前記コンテンツを表すアナログ信号、及び前記アナログ信号に所定のエンコードを行って得られるデジタルデータの少なくとも一方の形式で取得し、さらに、前記コンテンツサーバ装置は、前記コンテンツがアナログ信号の形式で取得された場合に、取得されたアナログ信号をデジタルデータにエンコードするエンコード手段を備えてもよい。
【００１４】
この構成によれば、幅広い形式で表されたコンテンツの取得が可能となり、特にエンコード手段を備える構成では、アナログ信号で表されたコンテンツを、著作権保護の技術を適用可能なデジタルデータに変換することができる。
【００１５】
また、前記コンテンツサーバ装置は、さらに、前記暗号化コンテンツの送信に先立って前記車載プレイヤ装置を認証する認証手段を備え、前記送信手段は、前記認証手段による認証が成功した場合にのみ、前記暗号化コンテンツを前記車載プレイヤ装置へ送信してもよく、また、前記認証手段及び前記車載プレイヤ装置はそれぞれ、ＤＴＣＰに基づく機器証明書データを保持し、前記認証手段と前記車載プレイヤとは、前記機器証明書データを用いて相互認証してもよい。
【００１６】
この構成によれば、認証が成功しない限りコンテンツの転送が行われないことから、コンテンツがより強固に保護される。また、前記機器証明書データを用いる構成は、認証の信頼性を高める。
【００１７】
また、前記コンテンツサーバ装置は、さらに、前記蓄積手段に蓄積されている暗号化コンテンツのそれぞれに対応してメタデータを記憶するメタデータ記憶手段を備え、前記送信手段は、前記メタデータに応じて定められる順序で、前記暗号化コンテンツを送信してもよく、また、前記コンテンツサーバ装置は、前記車載プレイヤ装置によって識別された搭乗者を通知され、前記メタデータは、個人を識別する情報を含み、前記送信手段は、前記車載プレイヤ装置から通知された搭乗者を識別するメタデータに対応する暗号化コンテンツを、他の暗号化コンテンツよりも先に送信してもよい。
【００１８】
この構成によれば、メタデータに応じて必要性が高いと期待されるコンテンツを優先的に転送できるので、ユーザの利便が高まる。特に、搭乗者を利用してコンテンツの送信順序を決定する構成は、適切なコンテンツを高い確度で優先的に転送するために役立つ。
【００１９】
また、前記蓄積手段は、前記暗号化コンテンツを複数の部分に分割して蓄積し、前記送信手段は、前記暗号化コンテンツを、前記蓄積された部分ごとに前記車載プレイヤ装置へ送信してもよい。
【００２０】
この構成によれば、特に長大なコンテンツについて、全体を正常に転送する十分な時間が取れない場合、分割部分ごとに転送することによって、転送が正常に終了した部分だけでも前記車載プレイヤ装置において視聴が可能になる利便が期待できる。
【００２１】
上記課題を解決するため、本発明の車載プレイヤ装置は、コンテンツサーバ装置と共に用いられる車載プレイヤ装置であって、前記コンテンツサーバ装置に、前記車載プレイヤ装置の固有情報を用いて暗号化された暗号化コンテンツの送信を要求する要求手段と、前記要求に応じて前記コンテンツサーバ装置から送信される前記暗号化コンテンツを受信する受信手段と、受信された暗号化コンテンツを記憶する記憶メディアと、前記記憶された暗号化コンテンツを、外部から与えられる再生要求に応じて、前記固有情報を用いて復号化する復号化手段とを備える。
【００２２】
また、前記車載プレイヤ装置は、さらに、ＬＡＮ、インターネット、及び携帯電話回線の少なくとも一つに無線接続する通信手段を備え、前記受信手段は、前記通信手段を用いて、前記ＬＡＮ、インターネット、及び前記携帯電話回線を経由して、前記暗号化コンテンツを前記コンテンツサーバ装置から受信してもよい。
【００２３】
この構成によれば、前記車載プレイヤ装置は、予め暗号化されたコンテンツを前記コンテンツサーバ装置から取得できる。コンテンツが事前に暗号化されているので、暗号化のオーバヘッドが省かれ、転送処理のターンアラウンド時間が短縮される。これにより、例えば出かける前といった短時間のうちに、前記コンテンツサーバ装置から前記車載プレイヤ装置へ大量のコンテンツを転送できるという際立った効果が得られる。
【００２４】
しかも、前記暗号化コンテンツは、前記車載プレイヤ装置の固有情報を用いて、他のプレイヤ装置では再生できないように暗号化されるので、前記暗号化コンテンツを他のプレイヤ装置に複製する行為が無意味となり、著作権の保護に一定の効果が発揮される。
【００２５】
また、前記要求手段は、前記車載プレイヤ装置が起動された場合、ユーザによる所定の操作がなされた場合、及び前回の要求から予め定められた時間が経過した場合のうちの一つ以上の場合に、前記要求を行ってもよい。
【００２６】
この構成によれば、例えば出かける前、車両のエンジン始動と共に前記車載プレイヤ装置が起動され、コンテンツサーバ装置から自動的にコンテンツの取得がなされるので、非常に便利である。その後も、ユーザが所望したときや、時間の経過に応じて自動的にコンテンツの取得がなされるので、優れた利便性が発揮される。
【００２７】
また、前記車載プレイヤ装置は、さらに、搭乗者を識別する搭乗者識別手段を備え、前記要求手段は、識別された搭乗者を、前記要求の際に前記コンテンツサーバ装置へ通知してもよい。
【００２８】
この構成によれば、前記コンテンツサーバ装置と協働して、搭乗者に関係あるコンテンツを他のコンテンツよりも先に転送することによって、必要性が高いと期待されるコンテンツが優先的に取得されるので、ユーザの利便が高まる。
【００２９】
また、前記車載プレイヤ装置は、さらに、前記暗号化コンテンツの受信に先立って前記コンテンツサーバ装置を認証する認証手段を備え、前記受信手段は、前記認証手段による認証が成功した場合にのみ、前記暗号化コンテンツを前記コンテンツサーバ装置から受信し、また、前記認証手段及び前記コンテンツサーバ装置はそれぞれ、ＤＴＣＰに基づく機器証明書データを保持し、前記認証手段と前記コンテンツサーバとは、前記機器証明書データを用いて相互認証してもよい。
【００３０】
この構成によれば、認証が成功しない限りコンテンツの転送が行われないことから、コンテンツがより強固に保護される。また、前記機器証明書データを用いる構成は、認証の信頼性を高める。
【００３１】
また、前記受信手段は、前記暗号化コンテンツを、前記コンテンツサーバから分割して送信される部分ごとに受信し、前記記憶メディアは、前記暗号化コンテンツを、前記受信された部分ごとに記憶し、前記復号化手段は、前記暗号化コンテンツの全ての部分が記憶されているか否かに関わらず、記憶された部分ごとに前記復号化を行ってもよい。
【００３２】
この構成によれば、特に長大なコンテンツについて、全体を正常に転送する十分な時間が取れない場合、分割部分ごとに転送することによって、転送が正常に終了した部分だけでも車載プレイヤ装置において視聴が可能になる利便が期待できる。
【００３３】
また、本発明は、このようなコンテンツサーバ装置、車載プレイヤ装置として実現できるだけでなく、このようなコンテンツサーバ装置及び車載プレイヤ装置からなるコンテンツサーバプレイヤシステム、このような装置及びシステムが備える特徴的な構成要素によって実行される処理をステップとする方法、並びにそのような方法をコンピュータに実行させるためのプログラムとして実現することもできる。
【発明の効果】
【００３４】
本発明のコンテンツサーバ装置、車載プレイヤ装置、及びそれらから構成されるコンテンツサーバプレイヤシステムにおいて、前記コンテンツサーバ装置は、コンテンツを、前記車載プレイヤ装置の固有情報を用いて、他のプレイヤ装置では再生できない暗号化コンテンツに暗号化して蓄積し、蓄積された暗号化コンテンツを前記車載プレイヤ装置へ送信する。
【００３５】
これによって、前記暗号化コンテンツを他のプレイヤ装置に複製する行為が無意味となり、著作権の保護に一定の効果が発揮される。また、予め暗号化されたコンテンツを転送するので、転送の際の暗号化のオーバヘッドが省かれ、転送処理のターンアラウンド時間が短縮される。
【発明を実施するための最良の形態】
【００３６】
本発明の実施の形態に係るコンテンツサーバ装置、車載プレイヤ装置、及びそれらから構成されるコンテンツサーバプレイヤシステムについて、図面を参照しながら説明する。
【００３７】
（システム構成）
図１は、実施の形態に係るコンテンツサーバプレイヤシステムの全体構成の一例を示す概念図である。
【００３８】
このコンテンツサーバプレイヤシステムは、家庭１に置かれたコンテンツサーバ装置１０において、コンテンツを、車両２に備えられた車載プレイヤ装置２０の固有情報を用いて暗号化コンテンツに暗号化して蓄積し、蓄積された暗号化コンテンツを、車載プレイヤ装置２０からの要求に応じて転送するシステムであり、コンテンツサーバ装置１０と車載プレイヤ装置２０との間は、家庭内ＬＡＮ４０、インターネット５０、及び電話網６０を介して通信可能に接続される。また、例えば家庭１の車庫において、コンテンツサーバ装置１０と車載プレイヤ装置２０との間を、家庭内ＬＡＮ４０を介さずに直接接続することももちろん可能である。
【００３９】
家庭１において、レコーダ３０はコンテンツを録画する。録画されるコンテンツは、一例としては、アンテナ３１に受信された放送番組、ホームビデオカメラで撮影された映像、インターネットを介して取得されたコンテンツ、及び記憶メディアから取得されたコンテンツ等である。
【００４０】
コンテンツサーバ装置１０は、レコーダ３０から直接、又は家庭内ＬＡＮ４０を経由して、録画されたコンテンツを取得し、車載プレイヤ装置２０の固有情報を用いて暗号化コンテンツに暗号化して蓄積する。取得されるコンテンツは、アナログ信号、及びエンコードされたデジタルデータの何れの形式でも構わない。アナログ信号の形式で取得されたコンテンツは、コンテンツサーバ装置１０によってデジタルデータにエンコードされた後、暗号化コンテンツに暗号化される。
【００４１】
車載プレイヤ装置２０は、例えば車両２が家庭１の車庫にある場合には、無線ＬＡＮアダプタ４１と無線接続し、また、図示しないケーブルによって家庭内ＬＡＮ４０又はコンテンツサーバ装置１０そのものに接続することによって、家庭内ＬＡＮ４０を経由するか又は直接に、コンテンツサーバ装置１０から暗号化コンテンツを取得する。
【００４２】
車載プレイヤ装置２０は、例えば車両２が無線アクセスポイント５１を提供している店舗３の駐車場にある場合には、無線アクセスポイント５１と無線接続し、インターネット５０、ルータ４２、及び家庭内ＬＡＮ４０を経由して、コンテンツサーバ装置１０から暗号化コンテンツを取得する。
【００４３】
車載プレイヤ装置２０は、例えば車両２が走行中の場合には、移動電話システムの基地局６１と無線接続し、電話網６０を経由して、コンテンツサーバ装置１０から暗号化コンテンツを取得する。
【００４４】
車載プレイヤ装置２０は、これらの暗号化コンテンツの取得方法の中から利用可能な通信方法を適切に自動的に選択してもよい。
【００４５】
（コンテンツサーバ装置１０及び車載プレイヤ装置２０の構成）
次に、コンテンツサーバ装置１０及び車載プレイヤ装置２０の詳細について説明する。
【００４６】
図２は、コンテンツサーバ装置１０及び車載プレイヤ装置２０の機能的な構成の一例を示すブロック図である。
【００４７】
コンテンツサーバ装置１０は、コンテンツ取得部１０１、エンコード部１０２、固有情報保持部１０３、暗号化部１０４、蓄積部１０５、メタデータ記憶部１０６、送信部１０７、通信Ｉ／Ｆ（インタフェース）１０８、及び認証部１０９から構成される。
【００４８】
コンテンツ取得部１０１は、図１に示されるレコーダ３０から、アナログ信号及びデジタルデータの形式でコンテンツを取得する。
【００４９】
エンコード部１０２は、アナログ信号の形式で取得されたコンテンツをデジタルデータにエンコードする。このエンコードには、例えばＭＰＥＧ（Moving Picture Expert Group）−２といった周知の技術が利用可能である。
【００５０】
固有情報保持部１０３は、車載プレイヤ装置２０の固有情報を予め設定され、保持している。車載プレイヤ装置２０における記憶メディア２０８がＣＰＲＭ規格に対応している場合、固有情報保持部１０３は、記憶メディア２０８に固有の識別情報であるメディア鍵をこの固有情報として秘匿保持してもよい。
【００５１】
コンテンツサーバ装置１０と共に用いられる車載プレイヤ装置２０が２台以上ある場合、固有情報保持部１０３は、個々の車載プレイヤ装置について固有情報を保持する。固有情報保持部１０３は、コンテンツサーバ装置１０の購入や、車載プレイヤ装置２０の購入、増設の際に、例えば工場出荷段階や販売店でのセットアップ段階といった安全な環境においてのみ、この固有情報の設定を受け入れて保持するよう構成されることが望ましい。
【００５２】
暗号化部１０４は、コンテンツ取得部１０１で取得され、またエンコード部１０２でエンコードされたデジタルデータの形式のコンテンツを、固有情報保持部１０３に保持されている固有情報を用いて、暗号化コンテンツに暗号化する。
【００５３】
暗号化部１０４は、取得されたアナログ信号及びデジタルデータに、コピー管理信号及びコピー管理情報が含まれている場合にのみ、著作権保護が必要と判断して、この暗号化を行ってもよい。その場合、例えばホームビデオカメラで撮影された映像といった、コピー管理信号を含まないコンテンツは、暗号化されずにそのまま出力される。
【００５４】
暗号化部１０４は、コンテンツをコンテンツごとのタイトルキーで暗号化コンテンツに暗号化すると共に、そのタイトルキーを固有情報で暗号化タイトルキーに暗号化し、暗号化コンテンツと暗号化タイトルキーとを組で出力してもよい。そのような暗号化の具体方法は、例えばＣＰＲＭ規格として広く知られているので、ここでは詳細に説明しない。以降、簡単のため、暗号化コンテンツと暗号化タイトルキーとの組をも、暗号化コンテンツと称する。
【００５５】
蓄積部１０５は、暗号化部１０４から出力されたコンテンツを蓄積する。このコンテンツは、著作権保護の要否判断に応じて、暗号化コンテンツ又は平文のコンテンツである。
【００５６】
蓄積部１０５は、特に長大なコンテンツを、所定の分割を行って得られる部分ごとに、例えば個別のファイルを用いて、蓄積する。
【００５７】
長大なコンテンツを分割蓄積しておけば、コンテンツ全体を正常に転送できる時間がない場合に、分割部分ごとに転送することによって、転送が正常に終了した部分だけでも車載プレイヤ装置２０において視聴が可能になる利便が期待できる。
【００５８】
図３は、コンテンツの分割保存及び分割ムーブを説明する概念図である。ムーブとは、周知のように、コンテンツの著作権を保護する観点から、正常に転送されたコンテンツを消去する操作を言う。
【００５９】
この例では、再生時間が例えば１時間を超える長大なコンテンツが、最初の３０分、次の３０分、及び残りの、３つの部分に分割して蓄積され、さらに、分割部分ごとのムーブによって最初の部分が車載プレイヤ装置２０へ正常に転送され、コンテンツサーバ装置１０から消去された状況が模式的に示される。正常にムーブされた最初の部分は、車載プレイヤ装置２０での視聴が可能となる。ここで、分割の単位時間とした３０分はもちろん一例であって、実用にはもっと短くてもよい。
【００６０】
メタデータ記憶部１０６は、蓄積部１０５に蓄積されるコンテンツそれぞれのメタデータを記憶する。このメタデータは、例えば、もともとは図１に示されるレコーダ３０に記憶されていて、コンテンツ取得部１０１によって暗号化前のコンテンツと共に取得され、メタデータ記憶部１０６に記憶されるとしてもよい。このメタデータは、送信部１０７においてコンテンツの送信順序を定めるために参照される。
【００６１】
図４は、メタデータ記憶部１０６に記憶されるメタデータの一例を示す図である。この例におけるメタデータは、コンテンツごと（分割蓄積されている場合は分割部分ごと）に、コンテンツ名、録画日、録画者、及び視聴済か否かを表す。
【００６２】
ここで、メタデータの各項目は、レコーダ３０がユーザから受け付けた録画や視聴に関する操作に基づいて管理している情報のコピーか、又はその情報から導かれる情報とする。例えば、レコーダ３０が、コンテンツごとに、録画日、録画者、及び分単位の視聴済み範囲を表す情報を管理している場合、それらの情報から前記メタデータが生成される。
【００６３】
また、簡単のため、車載プレイヤ装置２０へ転送されたコンテンツに対応するメタデータはコンテンツと共に消去されるとする。逆に言えば、メタデータが存在するコンテンツは、まだ転送されずに蓄積部１０５に存在する。
【００６４】
送信部１０７は、車載プレイヤ装置２０からの送信要求を受けると、まず、メタデータ記憶部１０６に記憶されているメタデータを参照してコンテンツの送信順序を定める。本発明は、この送信順序を限定しないが、一例を挙げれば、まだ視聴していないコンテンツのうち録画日が新しい順、その次に、視聴済みのコンテンツのうち録画日が新しい順に送信順序を定めてもよい。また、車載プレイヤ装置２０から、送信要求の際に搭乗者を識別する情報が通知される場合には、その搭乗者が録画者になっているコンテンツの送信順序が、他のコンテンツよりも先になるように定めることが望ましい。
【００６５】
送信部１０７は、次に、前記定めた送信順序に従って、蓄積部１０５に蓄積されているコンテンツを読み出し、通信Ｉ／Ｆ１０８を介して車載プレイヤ装置２０へ送信する。そして、コンテンツごと（分割蓄積されている場合は分割部分ごと）に、送信が正常に終了したら、そのコンテンツ又は分割部分、並びに対応するメタデータを消去する。
【００６６】
通信Ｉ／Ｆ１０８は、図１に示される家庭内ＬＡＮ４０及び電話網６０を経由して、車載プレイヤ装置２０と通信を行う。通信Ｉ／Ｆ１０８は、具体的には、ＮＩＣ（Network Interface Controller）、モデム等を用いて実現される。送信要求の受信、コンテンツの送信、及び次に述べる車載プレイヤ装置２０の認証を含む、車載プレイヤ装置２０との間の全ての通信は、通信Ｉ／Ｆ１０８を介して行われる。
【００６７】
認証部１０９は、コンテンツの送信に先立って車載プレイヤ装置２０を認証する。認証部１０９は、一例として、車載プレイヤ装置２０の認証部２０６と共に、ＤＴＣＰに基づくそれぞれの機器証明書データを保持して相互認証してもよい。
【００６８】
車載プレイヤ装置２０は、タイマ部２０１、操作受付部２０２、搭乗者識別部２０３、要求部２０４、通信Ｉ／Ｆ２０５、認証部２０６、受信部２０７、記憶メディア２０８、復号化部２０９、デコード部２１０、及び固有情報保持部２１１から構成される。
【００６９】
タイマ部２０１は、コンテンツの送信要求を行うための時間間隔を計る。
【００７０】
操作受付部２０２は、例えば、コンテンツの取得指示操作、取得された暗号化コンテンツの再生指示操作といった、ユーザによって車載プレイヤ装置２０に対して行われる指示操作を受け付ける。操作受付部２０２は、具体的には、機械的なスイッチ、タッチパネル、リモコンの受信器等を用いて実現される。
【００７１】
搭乗者識別部２０３は、車両２の搭乗者を識別する。搭乗者識別部２０３は、一例として、予め搭乗者とその搭乗者の携帯電話機の固体番号とを対応付けて記憶しておき、車両２に持ち込まれた携帯電話機からBluetooth（米国Bluetooth SIG,INC.の登録商標）インタフェースを介して固体番号を読み取ることによって、搭乗者を識別してもよい。また、搭乗者によって行われる固有の操作が操作受付部２０２に受け付けられることによって搭乗者を識別することも考えられる。
【００７２】
要求部２０４は、コンテンツの送信要求を、識別された搭乗者を示す情報と共に、通信Ｉ／Ｆ２０５を介してコンテンツサーバ装置１０へ発行する。要求部２０４は、コンテンツの送信要求を、車載プレイヤ装置２０が起動された場合、ユーザによるコンテンツ転送指示操作が操作受付部２０２に受け付けられた場合、及びタイマ部２０１によって前回の要求から予め定められた時間が経過したと判断された場合のうちの一つ以上の場合に行ってもよい。
【００７３】
特に、車載プレイヤ装置２０が起動された場合に送信要求を行えば、例えば出かける前、車両２のエンジン始動と共に車載プレイヤ装置２０が起動され、コンテンツサーバ装置１０から自動的にコンテンツの取得がなされるので、非常に便利である。
【００７４】
通信Ｉ／Ｆ２０５は、図１に示される無線ＬＡＮアダプタ４１、無線アクセスポイント５１、及び基地局６１と無線接続し、家庭内ＬＡＮ４０、インターネット５０、及び電話網６０を経由して、コンテンツサーバ装置１０と通信を行う。通信Ｉ／Ｆ２０５は、具体的には、無線ＬＡＮ、携帯電話システム等の規格に準拠した無線通信装置である。送信要求の発行、コンテンツの受信、及び次に述べるコンテンツサーバ装置１０の認証を含む、コンテンツサーバ装置１０との間の全ての通信は、通信Ｉ／Ｆ２０５を介して行われる。
【００７５】
認証部２０６は、前記暗号化コンテンツの受信に先立ってコンテンツサーバ装置１０を認証する。認証部２０６は、一例として、コンテンツサーバ装置１０の認証部１０９と共に、ＤＴＣＰに基づくそれぞれの機器証明書データを保持して相互認証してもよい。
【００７６】
受信部２０７は、暗号化コンテンツを、通信Ｉ／Ｆ２０５を介してコンテンツサーバ装置１０から受信する。
【００７７】
記憶メディア２０８は、受信されたコンテンツを記憶する。記憶メディア２０８は、例えば、ハードディスク装置であってもよく、また、ＣＰＲＭ規格に対応したＤＶＤ−ＲＡＭ（Digital Versatile Disk - Random Access Memory）、ＳＤ（Secure Digital）カードでもよい。
【００７８】
固有情報保持部２１１は、車載プレイヤ装置２０の固有情報を予め設定され、保持している。記憶メディア２０８がＣＰＲＭ規格に対応している場合、記憶メディア２０８のメディア鍵をこの固有情報として用いてもよく、その場合、記憶メディア２０８においてメディア鍵を秘匿保持する秘匿領域を、固有情報保持部２１１として用いることができる。
【００７９】
復号化部２０９は、ユーザによって行われる再生要求操作が操作受付部２０２に受け付けられると、再生の対象となるコンテンツを記憶メディア２０８から読み出す。読み出されたコンテンツが著作権保護された暗号化コンテンツであれば、平文のコンテンツに復号化して、デコード部２１０へ出力し、もともと平文のコンテンツは、そのままデコード部２１０へ出力する。デコード部へ出力されるコンテンツは、さらに、ビットストリーム等のデジタルデータの形式で外部へも出力される。
【００８０】
デコード部２１０は、復号化部２０９から出力されたコンテンツをデコードして、図外のスピーカや、表示装置等で再生可能なアナログ信号を出力する。なお、復号化部２０９から出力されるデジタルデータを直接再生可能な再生装置が外部に接続される場合には、デコード部２１０は省略可能である。
【００８１】
（システム動作）
次に、実施の形態に係るコンテンツサーバプレイヤシステムの動作について説明する。
【００８２】
図５は、システム動作の一例を示すフローチャートである。このフローチャートには、設定フェーズ、暗号化及び蓄積フェーズ、転送フェーズ、並びに、復号化及び再生フェーズの４つのフェーズが示される。それぞれのフェーズは独立したタイミングで実行可能であるが、ここでは簡略のため、ひとつながりに示している。
【００８３】
設定フェーズは、例えば、コンテンツサーバ装置１０の購入や車載プレイヤ装置２０の購入、増設の際に、工場出荷段階や販売店でのセットアップ段階で実行される。
【００８４】
設定フェーズにおいて、固有情報保持部１０３は、車載プレイヤ装置２０の固有情報を設定され、保持する（Ｓ１１）。
【００８５】
暗号化及び蓄積フェーズは、例えば、レコーダ３０から新たなコンテンツが録画されたことを通知されたとき、レコーダ３０を周期的にポーリングして新たなコンテンツが録画されていることが分かったとき、及びユーザによって暗号化指示操作が行われたときに、車載プレイヤ装置２０からの送信要求に先立って実行される。
【００８６】
暗号化及び蓄積フェーズにおいて、コンテンツ取得部１０１は、レコーダ３０からコンテンツをアナログ信号又はデジタルデータの形式で取得する（Ｓ２１）。コンテンツがアナログ信号の形式で取得された場合（Ｓ２２でアナログ）、エンコード部１０２は、そのアナログ信号をデジタルデータにエンコードする（Ｓ２３）。
【００８７】
コンテンツの著作権保護が必要であることを示すコピー制御信号がアナログ信号又はデジタルデータに含まれている場合（Ｓ２４でＹＥＳ）、暗号化部１０４は、固有情報保持部１０３に保持されている固有情報を用いて、コンテンツを暗号化コンテンツに暗号化する（Ｓ２５）。
【００８８】
蓄積部１０５は、平文のコンテンツ又は暗号化コンテンツを蓄積する（Ｓ２６）。
【００８９】
転送フェーズは、例えば、車載プレイヤ装置２０が起動されたとき、ユーザによるコンテンツ転送指示操作が操作受付部２０２に受け付けられたとき、及びタイマ部２０１によって前回の要求から予め定められた時間が経過したときに実行される。
【００９０】
転送フェーズにおいて、搭乗者識別部２０３は、搭乗者を識別し（Ｓ３１）、認証部２０６及び認証部１０９は、相互認証を行う（Ｓ３２、Ｓ３３）。
【００９１】
認証が成功すると、要求部２０４は、識別された搭乗者を示す情報を含む送信要求を、通信Ｉ／Ｆ２０５を介してコンテンツサーバ装置１０へ発行する（Ｓ３４）。
【００９２】
送信要求がコンテンツサーバ装置１０に取得されると（Ｓ３５）、送信部１０７は、メタデータ記憶部１０６の内容を参照して、コンテンツの送信順序を決定し（Ｓ３６）、決定された順序でコンテンツを車載プレイヤ装置２０へ送信する。送信が正常に終了したコンテンツと対応メタデータとは消去される（Ｓ３７）。
【００９３】
受信部２０７は、コンテンツサーバ装置１０から送信されたコンテンツを受信し（Ｓ３８）、記憶メディア２０８は、受信されたコンテンツを記憶する（Ｓ３９）。
【００９４】
復号化及び再生フェーズは、例えば、ユーザによって行われる再生要求操作が操作受付部２０２に受け付けられたときに実行される。
【００９５】
復号化及び再生フェーズにおいて、再生要求操作が操作受付部２０２に受け付けられると、暗号化部は、再生要求されたコンテンツを記憶メディア２０８から読み出し（Ｓ４１）、そのコンテンツが著作権保護された暗号化コンテンツであれば（Ｓ４２でＹＥＳ）、平文のコンテンツに復号化する（Ｓ４３）。
【００９６】
デコード部２１０は、平文のコンテンツをデコードして、図外のスピーカや、表示装置等で再生可能なアナログ信号を出力する（Ｓ４４）。
【００９７】
（まとめ）
以上説明したように、コンテンツサーバ装置１０、車載プレイヤ装置２０、及びそれらから構成されるコンテンツサーバプレイヤシステムによれば、コンテンツサーバ装置１０は、コンテンツを、車載プレイヤ装置２０の固有情報を用いて暗号化して蓄積し、蓄積された暗号化コンテンツを車載プレイヤ装置２０へ送信する。
【００９８】
コンテンツサーバ装置１０は、コンテンツの暗号化と蓄積とを、車載プレイヤ装置２０からのコンテンツの送信要求に先立って行うことによって、送信要求を受けたときには既に暗号化されているコンテンツを転送するので、転送の際の暗号化のオーバヘッドが省かれ、転送処理のターンアラウンド時間が短縮される。
【００９９】
また、前記暗号化に車載プレイヤ装置２０の固有情報を用いることによって、他のプレイヤ装置では再生できない暗号化コンテンツが得られるので、暗号化コンテンツを他のプレイヤ装置に複製する行為が無意味となり、著作権の保護に一定の効果が発揮される。
【産業上の利用可能性】
【０１００】
本発明に係るコンテンツサーバ装置、車載プレイヤ装置、及びそれらから構成されるコンテンツサーバプレイヤシステムは、携行され又は移動体に搭載されるプレイヤ装置にコンテンツを供給するシステムに利用でき、とりわけ、カーＡＶシステムへの利用に好適である。
【図面の簡単な説明】
【０１０１】
【図１】実施の形態に係るコンテンツサーバプレイヤシステムの全体構成の一例を示す概念図である。
【図２】コンテンツサーバ装置及び車載プレイヤ装置の機能的な構成の一例を示すブロック図である。
【図３】コンテンツの分割保存及び分割ムーブを説明する概念図である。
【図４】コンテンツの転送順序を管理するためのメタデータの一例を示す図である。
【図５】前記コンテンツサーバプレイヤシステムの動作の一例を示すフローチャートである。
【符号の説明】
【０１０２】
１    家庭
２    車両
３    店舗
１０    コンテンツサーバ装置
２０    車載プレイヤ装置
３０    レコーダ
３１    アンテナ
４０    家庭内ＬＡＮ
４１    無線ＬＡＮアダプタ
４２    ルータ
５０    インターネット
５１    無線アクセスポイント
６０    電話網
６１    基地局
１０１    コンテンツ取得部
１０２    エンコード部
１０３    固有情報保持部
１０４    暗号化部
１０５    蓄積部
１０６    メタデータ記憶部
１０７    送信部
１０８    通信Ｉ／Ｆ
１０９    認証部
２０１    タイマ部
２０２    操作受付部
２０３    搭乗者識別部
２０４    要求部
２０５    通信Ｉ／Ｆ
２０６    認証部
２０７    受信部
２０８    記憶メディア
２０９    復号化部
２１０    デコード部
２１１    固有情報保持部
【図１】
0004554473.tif 000002
【図２】
0004554473.tif 000003
【図３】
0004554473.tif 000004
【図４】
0004554473.tif 000005
【図５】
0004554473.tif 000006